(57)【要約】【解決手段】台形状の３枚の側板1aを三角錐台形状となるように組み立てた標体１を備えている。この標体１の頂部に灯火３を備えている。発光ロッド7aを備えたロッド発光式で、発光体がＬＥＤ7bである補助灯７を備えている。【効果】標体１が３面形状であるから、昼標効果が大きい。また、３枚の側板1aは従来の１本のポールに比べて軽いから、重機を使用せずに組み立てが可能である。ロッド発光式の補助灯７が備えられていると、三角錐台形状の標体１の左右両側で長く光るので、近距離での視認性が向上する。また、灯火３以外に補助灯７を備えているので、たとえ灯火３が背景光と重なっても夜間の視認性に影響を及ぼさない。発光体はＬＥＤ7bであるから、消費電力も少なくて使用コストもかからないし、長期使用できる。各側板1a，1aが上下に分割されるようにしても良い。【選択図】図１
2008052715.tif 000002
【特許請求の範囲】
【請求項１】
台形状の３枚の側板を三角錐台形状となるように組み立てた標体からなり、その頂部に灯火を備えていることを特徴とする組立式標識灯。
【請求項２】
ロッド発光式又は／及び照射式であって、光源がＬＥＤである補助灯を備えていることを特徴とする組立式標識灯。
【請求項３】
ロッド発光式の補助灯が、三角錐台形状の標体の接合辺に沿って取り付けられていることを特徴とする請求項２記載の組立式標識灯。
【請求項４】
側板が上下に分割されており、分割されている各側板を結合手段により互いに結合することを特徴とする請求項１記載の組立式標識灯。
【請求項５】
上下に分割されている各側板の接合部にフランジが形成されており、各フランジを上下に重ね合わせて結合手段により互いに結合することを特徴とする請求項４記載の組立式標識灯。
【請求項６】
３枚の側板の左右の接合部の面同士を互いに接触させて溶接により固定することを特徴とする請求項１記載の組立式標識灯。
【発明の詳細な説明】
【技術分野】
【０００１】
本発明は、主として航路標識として用いられる組立式の標識灯に関するものである。
【背景技術】
【０００２】
航路用の標識灯としては、通常、図１２に示すようなポール状のものが一般的である。
【発明の開示】
【発明が解決しようとする課題】
【０００３】
このような細長い標識灯Ｃでは、投影面積が小さいため、昼標効果が小さいという欠点を有している。また、ポール自体が重いため、重機を使用しないと設置が困難である。さらに、灯火ｃが背景光と重なると、夜間の視認性が悪くなるという欠点を有している。
【課題を解決するための手段】
【０００４】
本発明は、このような欠点を解消することを目的とするものであって、台形状の３枚の側板を三角錐台形状となるように組み立てた標体からなり、その頂部に灯火を備えていることを特徴とするものである。
本発明の標識灯においては、標体が３面形状であるから、昼標効果が大きい。また、１枚の側板は従来の１本のポールに比べて軽いから、重機を使用せずに組み立てが可能である。ボルトとナットその他の定着手段により、３枚の側板を極めて簡単に三角錐台形状の標体に組み立てることができる。
【０００５】
ロッド発光式又は／及び照射式であって、発光体がＬＥＤである補助灯を備えていることが望ましい。このような補助灯が備えられていると、近距離での視認性が向上する。また、灯火以外に補助灯を備えているので、たとえ灯火が背景光と重なっても夜間の視認性に影響を及ぼさない。発光体はＬＥＤであるから、消費電力も少なくて使用コストもかからないし、長期使用できる。
【０００６】
ロッド発光式の補助灯は長く光らせるのに適しており、照射式の補助灯は広範囲を光らせるのに適している。いずれか一方の補助灯を備えておれば、少なくとも近距離での視認性向上という機能を果たすことができるが、両方を備えている方がより効果的である。
【０００７】
ロッド発光式の補助灯が、三角錐台形状の標体の接合辺に沿って取り付けられていることが望ましい。この場合には、三角錐台形状の標体の左右両側で長く光らせることができるので、近距離での視認性がさらに向上する。
【０００８】
側板が上下に分割されており、分割されている各側板を結合手段により互いに結合すると良い。この場合には、大判となり勝ちの側板が小型化されているので、標識灯を組み立てやすいのみならず、側板の運搬にも都合が良い。
【０００９】
上下に分割されている各側板の接合部にフランジが形成されており、各フランジを上下に重ね合わせて結合手段により互いに結合すると良い。このようにすると、上下に分割されている各側板を組み立てやすいのみならず、上下に分割されている各側板を強固に結合して大きなものとすることができる。
【００１０】
３枚の側板の左右の接合部の面同士を互いに接触させて溶接により固定すると良い。  このようにすると、ボルトその他の固定具を用いることなく３枚の側板を極めて簡単かつ素早く三角錐台形状に結合することができる。
【発明の効果】
【００１１】
請求項１記載の発明によれば、標体が３面形状であるから、昼標効果が大きい。また、１枚の側板は従来の１本のポールに比べて軽いから、重機を使用せずに組み立てが可能であるという利点を有している。ボルトとナットその他の定着手段により、３枚の側板を極めて簡単に三角錐台形状の標体に組み立てることができる。
【００１２】
請求項２記載の発明によれば、補助灯を備えているので、近距離での視認性が向上するという利点を有している。また、たとえ灯火が背景光と重なっても夜間の視認性に影響を及ぼさない。発光体はＬＥＤであるから、消費電力も少なくて使用コストもかからないし、長期使用できる。
【００１３】
請求項３記載の発明によれば、三角錐台形状の標体の左右両側で長く光らせることができるので、近距離での視認性がさらに向上する。
【００１４】
請求項４記載の発明によれば、大判となり勝ちの側板が小型化されているので、標識灯を組み立てやすいのみならず、側板の運搬にも都合が良い。
【００１５】
請求項５記載の発明によれば、上下に分割されている各側板を組み立てやすいのみならず、上下に分割されている各側板を強固に結合して大きなものとすることができる。
【００１６】
請求項６記載の発明によれば、ボルトその他の固定具を用いることなく３枚の側板を極めて簡単かつ素早く三角錐台形状に結合することができる。
【発明を実施するための最良の形態】
【００１７】
本発明による組立式標識灯の実施の形態について、図面を参照しながら説明する。図１、図４に、本発明による組立式標識灯であって、ロッド発光式の補助灯７を備えている場合の一例を示す。また、図２、図５に、本発明による組立式標識灯であって、照射式の補助灯８を備えている場合の一例を示す。
【００１８】
図１、図４に示す組立式標識灯と、図２、図５に示す組立式標識灯とでは、搭載されている灯器が異なっているのみで、それ以外は概ね同じであるということができる。一方、図１、図２に示す組立式標識灯と、図４、図５に示す組立式標識灯とでは、後述するように、三角錐台形状となるように組み立てる標体１用の台形状の３枚の側板1a，1aが、いずれも１枚の大判の板からなっているか、各側板1a，1aが上下に分割されているかの点で異なっているのみで、それ以外は概ね同じであるということができる。
【００１９】
まず、図１、図２に示す組立式標識灯について、詳細に説明する。ロッド発光式の補助灯７を備えている標識灯Ａの場合も、照射式の補助灯８を備えている標識灯Ｂの場合も、図３に示す台形状の３枚の側板1aを三角錐台形状となるように組み立てた標体１を有しており、その上部開口部分に図１１に示す平面略３角形状の天板２が被せられ、その頂部に灯火３が備えられている。そして、通常、アンカーベース1cを介してアンカーボルトにより標体１が所定の場所に設置される。
【００２０】
台形状の１枚の側板1aは図３に示すように平板状のものであり、また、天板２は図１１に示すように１枚の三角形の平板をコーナー部分を一部切除して残りの辺を下側に折曲するだけで形成することができる。従って、従来の１本のポールに比べて軽いから、重機を使用せずに、設置現場で組み立てることができる。
【００２１】
３枚の側板1aの左右両側縁部分はいずれも３０度の角度（図３(b)における角度α）に折曲されており、その部分を接合部1bとして互いに隣接する側板1a同士を、ボルトとナットその他の定着手段４により定着し、三角錐台形状の標体１に組み立てることができる。なお、図３(a)において、図面符号1eはボルトとナットからなる定着手段４を用いる場合に利用するボルト挿通用の孔である。
【００２２】
次に、図４、図５に示す組立式標識灯について、詳細に説明する。図４、図５に示す組立式標識灯は、三角錐台形状となるように組み立てる標体１用の台形状の３枚の側板1a，1aが、いずれも上下に分割されている点で、図１、図２に示す組立式標識灯と異なっている。ただし、それ以外は概ね同じであるということができる。すなわち、図６に示すように、３枚の側板1a，1aがいずれも符号1f，1gで示すように上下に分割されている。そして、分割されている各側板1f，1gをボルトとナットその他の結合手段４’により互いに結合する。この場合には、大判となり勝ちの側板1aが小型化されているので、標識灯を組み立てやすいのみならず、側板1aの運搬にも都合が良い。
【００２３】
３枚の側板1a，1aが上下に分割されている場合において、上下に分割されている各側板1f，1gの接合部にフランジ1hを形成しておき、各フランジ1h，1hを上下に重ね合わせてボルトとナットその他の結合手段４’により互いに結合する。このようにすると、上下に分割されている各側板1f，1gを組み立てやすいのみならず、上下に分割されている各側板1f，1gを強固に結合して１枚の大きなものとすることができる。この結合の際、図８に示すように、２つのフランジ1h，1h間に板片９を挿入し、その状態で上下に重なり合っている２つのフランジ1h，1h部分を前記結合手段４’により互いに結合するのが良い。
【００２４】
図６では、側板1aが上下２枚に分割されている場合を例示するが、３枚以上に分割しても良い。分割数は、側板1aの大きさに応じて適宜変更することができる。なお、上下に分割されている各側板1f，1gの左右両側縁部分を折曲し、その部分を接合部1bとして利用することは、大判の１枚の側板1aの場合と同じである。
【００２５】
そして、この場合には、前記接合部1b，1bの面同士が互いに接触するように左右両側縁部分を折曲しておき、大判の３枚の台形状の側板1a，1aを三角錐台形状となるように組み立てる場合とは異なる手段で互いに隣接する側板1a，1a同士を結合することができる。すなわち、大判の３枚の台形状の側板1a，1aを三角錐台形状となるように組み立てる場合には、互いに隣接する側板1a，1aの接合部1b，1b間に隙間が生じるように接合部1bを折曲し、隙間のある両接合部1b，1b同士をボルトとナットその他の定着手段４により定着した（図１、図２参照）が、１枚の側板1aが上下に分割されている場合には、図４、図５および図７に示すように、前記接合部1b，1bの面同士を互いに接触させることができるので、この状態でスポット溶接その他の溶接により接合部1b，1b同士を溶接して隣接する側板1a，1a同士を極めて簡単かつ素早く結合することができる。なお、この場合には、大判の側板1a，1aを互いに結合する場合に用いるボルト挿通用の孔1eは不要である。
【００２６】
図４、図５に示す組立式標識灯にあっても、図７に示すように、上下に分割されている側板1f，1gを前記結合手段４’により結合して１枚の大判の側板1aとし、それを３枚用いて三角錐台形状となるように組み立てる。そして、この標体１の上部開口部分に図１１に示す平面略３角形状の天板２を被せ、その頂部に灯火３を備え付けることは、図１、図２に示す場合と同じである。また、図４、図５に示すように、アンカーベース1cを介してアンカーボルトにより標体１が所定の場所に設置されることも、図１、図２に示す場合と同じである。
【００２７】
３枚の側板1a（各側板1a，1aが上下に分割されている場合も同様である）と天板２は、例えばアルミニウム合金製とすることができ、また、三角錐台形状の標体１の外面を塗装しておくと良い。例えば、標体１全面を白色、赤色あるいは黄色としたり、白地に赤色のストライプ模様、あるいは、赤地に白色のストライプ模様、白、赤、黄色のストライプ模様にするなど、様々なデザインに塗装することができる。
【００２８】
灯火３は太陽光を発光光源とすることができ、ロッド発光式の補助灯７を備えている標識灯Ａの場合も、照射式の補助灯８を備えている標識灯Ｂの場合も、灯体3a内に備えられている灯火３用の点滅器（図示しない）により灯具3bを点滅させることができる。図１、図２、図４、図５において、図面符号５は太陽電池パネルである。なお、図１１(a)において、図面符号2aは天板２に設けられている灯火３取付用の孔である。
【００２９】
ここに示す標識灯には、灯火３以外に補助灯が備えられている。補助灯として、図１、図４に示すロッド発光式の補助灯７と図２、図５に示す照射式の補助灯８を挙げることができ、発光体はいずれもＬＥＤである。このような補助灯が備えられていると、近距離での視認性が向上する。また、灯火３以外に補助灯７、８を備えているので、たとえ灯火３が背景光と重なっても夜間の視認性に影響を及ぼさない。光源はＬＥＤであるから、消費電力も少なくて使用コストもかからないし、長期使用できる。
【００３０】
ロッド発光式の補助灯７は、図９に示すように、ボックス６の直下に下方に延びる細長い発光ロッド7aを備えている。この発光ロッド7aはアクリルその他の樹脂製とすることができ、その上端に近接してボックス６内に配置されているＬＥＤ7bが発光することにより、長い発光ロッド7aを発光させることができる。なお、発光ロッド7a用の点滅器も灯火３用の点滅器の場合と同様に前記灯体3a内に備えられており（図示は省略する）、それによりロッド発光式の補助灯７の発光体であるＬＥＤ7bと発光ロッド7aとを点滅させることができる。
【００３１】
このロッド発光式の補助灯７は、図１、図４に示すように、台形状の３枚の側板1aを三角錐台形状となるように組み立てた標体１の各接合辺に沿って取り付けられる（各側板1a，1aが上下に分割されている場合も同様である）。ロッド発光式の補助灯７が三角錐台形状の標体１にこのように取り付けられている場合には、三角錐台形状の標体１の左右両側で長く光らせることができるので、近距離での視認性がさらに向上する。
【００３２】
一方、照射式の補助灯８は、図１０に示すように、ボックス６内に配置されているＬＥＤ8aを直接発光させ、広範囲を照射する方式のもので、図２、図５に示すように、台形状の３枚の側板1aを三角錐台形状となるように組み立てた標体１の各外面の上部にそれぞれ取り付けられている（各側板1a，1aが上下に分割されている場合も同様である）。
この場合には、三角錐台形状の標体１の３つの各外面を広範囲に照らすことができる。ＬＥＤ8a用の点滅器も灯火３の場合と同様に前記灯体3a内に備えられており（図示は省略する）、それにより照射式の補助灯８の発光体であるＬＥＤ8aを点滅させることができる。
【００３３】
なお、照射式の補助灯８を備えている標識灯Ｂに用いられる標体１用の側板1aには、図３(a)、図６において図面符号1dで示すように、補助灯８取付用の孔が形成されている。側板1aが上下に分割されている場合には、上側の側板1f側に補助灯８取付用の孔1dを形成する。ロッド発光式の補助灯７を備えている標識灯Ａに用いられる標体１の場合には、側板1aにこの孔1dを形成しなくても良い。側板1aが上下に分割されている場合も、この孔1dを形成しなくても良い。
【００３４】
ロッド発光式の補助灯７は長い発光ロッド7aを有しているので、三角錐台形状の標体１の左右両側で長く光らせるのに適しており、照射式の補助灯８は三角錐台形状の標体１の３つの各外面を広範囲に光らせるのに適している。いずれか一方の補助灯７又は８を備えておれば、少なくとも近距離での視認性向上という機能を果たすことができるが、両方を備えている方が、三角錐台形状の標体１の左右両側で長く光らせる照らし方と三角錐台形状の標体１の外面を広範囲に光らせる照らし方ができるので、より効果的である。
【図面の簡単な説明】
【００３５】
【図１】本発明による組立式標識灯であって、ロッド発光式の補助灯を備えていて標体が大判の３枚の側板からなる場合の一例を示す全体図で、(a)は平面図、(b)は正面図、(c)は側面図ある。
【図２】本発明による組立式標識灯であって、照射式の補助灯を備えていて標体が大判の３枚の側板からなる場合の一例を示す全体図で、(a)は平面図、(b)は正面図、(c)は側面図ある。
【図３】本発明による組立式標識灯の標体を構成する側板が１枚の大判のものからなる場合の一例を示す概略図で、(a)は照射式の補助灯取付用の孔を設けた標体用側板の正面図、(b)はそれを下側から見た端面図である。
【図４】本発明による組立式標識灯であって、ロッド発光式の補助灯を備えていて標体が上下に分割されている３枚の側板からなる場合の一例を示す全体図で、(a)は平面図、(b)は正面図、(c)は側面図ある。
【図５】本発明による組立式標識灯であって、照射式の補助灯を備えていて標体が上下に分割されている３枚の側板からなる場合の一例を示す全体図で、(a)は平面図、(b)は正面図、(c)は側面図ある。
【図６】本発明による組立式標識灯の標体を構成する側板が上下に分割されている場合の一例を示す概略図で、照射式の補助灯取付用の孔を上側の側板に設けた場合の正面図である。
【図７】上下に分割されている側板が結合手段により結合された側板を組み立てた標体に天板を被せた状態を示す概略図で、(a)は平面図、(b)は正面図、(c)は側面図ある。
【図８】上下に分割されている側板の接合部にフランジが形成された状態と、両フランジ間に板片を挿入して結合手段により結合する状態を示す概略図である。
【図９】ロッド発光式の補助灯のみの拡大図で、(a)はこの補助灯の正面図、(b)はその側面図である。
【図１０】照射式の補助灯のみの拡大図で、(a)はこの補助灯の正面図、(b)はその側面図である。
【図１１】図３、図６に示す側板を三角錐台形状となるように組み立てた標体の上部開口部分に被せる天板を示す概略図で、(a)は天板の拡大平面図、(b)はその側面図である。
【図１２】従来のポール状の標識灯の一例を示す正面図である。
【符号の説明】
【００３６】
１…標体、1a…側板、1f，1g…上下に分割された側板、1h…フランジ、２…天板、３…灯火、７…ロッド発光式の補助灯、7a…発光ロッド、7b…ＬＥＤ、８…照射式の補助灯、8a…ＬＥＤ、Ａ、Ｂ…組立式標識灯。
【図１】
2008052715.tif 000003
【図２】
2008052715.tif 000004
【図３】
2008052715.tif 000005
【図４】
2008052715.tif 000006
【図５】
2008052715.tif 000007
【図６】
2008052715.tif 000008
【図７】
2008052715.tif 000009
【図８】
2008052715.tif 000010
【図９】
2008052715.tif 000011
【図１０】
2008052715.tif 000012
【図１１】
2008052715.tif 000013
【図１２】
2008052715.tif 000014